(57)【要約】【課題】手袋等に対して、簡便で効果的かつ長期的に、消臭、抗菌、防カビ等を施すことができる新規なスタンドを提供する。【解決手段】手袋２等の開口１２から内部に挿入されて、前記手袋等を、略通常使用時の形状を維持した状態で、前記開口を下にして保持するための本体部３の内部を空洞とし、前記本体部内に、徐放性機能剤８の収容部９を設けるとともに、前記本体部の上面（上端部）４、および側面に、前記徐放性機能剤を放散させるための放散口１０、１１を設けたスタンド１である。【選択図】図１
2012152351.tif 000002
【特許請求の範囲】
【請求項１】
手袋、帽子、靴等の開口から内部に挿入されて、前記手袋、帽子、靴等を、略通常使用時の形状を維持した状態で、前記開口を下にして保持するための本体部を備えたスタンドであって、前記本体部は内部が空洞とされ、前記本体部内には徐放性機能剤の収容部が設けられているとともに、前記本体部の、前記保持状態での上面、および側面には、前記徐放性機能剤を前記本体部外に放散させるための放散口が設けられていることを特徴とするスタンド。
【請求項２】
前記本体部は縦型略筒状に形成され、前記本体部の底部近傍に徐放性機能剤の収容部が設けられているとともに、前記収容部を除く側面、および上端部のうちの少なくとも一方に前記放散口が設けられている請求項１に記載の手袋スタンド。
【請求項３】
前記本体部は、前記上端部から高さ方向の中間部にかけて徐々に断面積が小さくなり、前記中間部から底部にかけて徐々に断面積が大きくなる縦型略筒状に形成されている請求項２に記載の手袋スタンド。
【請求項４】
前記本体部は、上端部の断面積が２０ｃｍ２以上である請求項２または３に記載の手袋スタンド。
【発明の詳細な説明】
【技術分野】
【０００１】
本発明は、例えば炊事用のゴム手袋等の手袋や、各種の帽子、ブーツ等の靴など（以下「手袋等」と略記する場合がある）は、消臭や抗菌、防カビといった観点から、使用後に内部の空気が十分に換気されるような状態にして保管することで、前記内部を十分に乾燥させることが重要である。
例えば手袋の場合は、二股に分かれたフック部を備えた手袋ホルダ（特許文献１）や、プレートに指部に対応する支持片を取り付けた手袋保持具（特許文献２）といった簡便なものが提案されている。
【０００２】
しかし、これらの構成では菌やカビの発生を抑えるには不十分であり、特に発汗量が多いときや湿気が多いときなどに手袋内に悪臭やカビが発生しやすいという問題がある。
そこで消臭効果や抗菌、防カビ効果等を付与した専用のホルダやフックがいくつか提案されている。例えば特許文献３では、消臭剤を内部に収容したメッシュ構造の帽子置き・掛けが提案されている。
【０００３】
かかる帽子置き・掛けによると、内部に収容した消臭剤によって帽子の内側が消臭され、しかもその効果がメッシュ構造でコントロールされるため消臭効果を一定期間持続することも期待できる。しかしメッシュ構造では持続効果は限定的であることから、中に入れる消臭剤の種類が限られ、消臭効果の大きさや持続性は十分とは言えなかった。
さらに箱型装置内部に複数の手袋をセットし、洗浄水やオゾンなどを自動投入したのち乾燥させる手袋洗浄乾燥装置および乾燥洗浄方法が提案されている（特許文献４）。
【０００４】
かかる装置および方法によると、確かに十分な洗浄除菌効果は期待できるものの、装置が大掛かりであるため、一般家庭で使用することはできなかった。
特許文献５では、多孔質セルロースなどの担体にアリルイソチオシアネートなどの揮散性薬剤を封入したガス徐放性製剤が提案されている。このガス徐放製剤を使用すれば、長期に亘って薬剤の効果を持続させることができる。しかし、ガス徐放性製剤の取り付け位置によって製剤の作用が対象物以外にも及ぶため、効果の損失が避けられないという問題がある。
【先行技術文献】
【特許文献】
【０００５】
【特許文献１】特開２００８−２２０９１６号公報
【特許文献２】特開２００５−１６０９６６号公報
【特許文献３】特開２００９−１４８５２４号公報
【特許文献４】特開２００３−１７０１２９号公報
【特許文献５】特開２００８−１３３２２８号公報
【発明の概要】
【発明が解決しようとする課題】
【０００６】
本発明は、手袋等に対して、簡便で効果的かつ長期的に、消臭、抗菌、防カビ等を施すことができる新規なスタンドを提供することにある。
【課題を解決するための手段】
【０００７】
発明者は、上記課題を解決するために、徐放性機能剤を入れたスタンドを開発することとし、その形状と、消臭、抗菌、防カビ等の効果との関係を鋭意検討した。その結果、特定の形状を有するスタンドが、効率的かつ長期的にこれらの効果を発揮できることを見出し、本発明を完成するに至った。
すなわち本発明は、手袋、帽子、靴等の開口から内部に挿入されて、前記手袋、帽子、靴等を、略通常使用時の形状を維持した状態で、前記開口を下にして保持するための本体部を備えたスタンドであって、前記本体部は内部が空洞とされ、前記本体部内には徐放性機能剤の収容部が設けられているとともに、前記本体部の、前記保持状態での上面、および側面には、前記徐放性機能剤を前記本体部外に放散させるための放散口が設けられていることを特徴とするものである。
【０００８】
本発明によれば、前記手袋等を、内部に挿入された本体部によって、その開口を下にして保持した状態としながら、前記本体部内に設けた収容部に収容された徐放性機能剤を、前記本体部の、前記保持状態での上面、および側面に設けた放散口から放散させることにより、前記手袋等の内部に十分に行き渡らせることができる。そのため簡便で効果的かつ長期的に、前記手袋等に対して、前記徐放性機能剤に付与した作用に基づいて消臭、抗菌、防カビ等を施すことが可能となる。
【０００９】
前記本体部は、手袋等の対象物の形状等に応じて、任意の形状とすることができる。
例えば炊事用のゴム手袋やブーツ等の、略筒状の対象物について消臭、抗菌、防カビ等を効率的かつ長期的に施すことを考慮すると、前記本体部は縦型略筒状に形成され、前記本体部の底部近傍に徐放性機能剤の収容部が設けられているとともに、前記収容部を除く側面、および上端部のうちの少なくとも一方に前記放散口が設けられているのが好ましい。
【００１０】
特に炊事用のゴム手袋などの柔軟な対象物を、略通常使用時の形状を維持した状態として、消臭、抗菌、防カビ等を効率的かつ長期的に施すことを考慮すると、前記本体部は、前記上端部から高さ方向の中間部にかけて徐々に断面積が小さくなり、前記中間部から底部にかけて徐々に断面積が大きくなる縦型略筒状に形成されているのが好ましい。
また前記縦型略筒状の本体部は、上端部の断面積が２０ｃｍ２以上であるのが好ましい。
【発明の効果】
【００１１】
本発明によれば、手袋等に対して、簡便で効果的かつ長期的に、消臭、抗菌、防カビ等を施すことができる新規なスタンドを提供することができる。
【図面の簡単な説明】
【００１２】
【図１】本発明のスタンドの、実施の形態の一例を示す斜視図である。
【発明を実施するための形態】
【００１３】
図１は、本発明のスタンドの、実施の形態の一例を示す斜視図である。
図１を参照して、この例のスタンド１は、図中に二点鎖線で示す炊事用のゴム手袋２に対して消臭、抗菌、防カビ等を施すためのものである。
前記スタンド１は、図に見るようにゴム手袋２内に挿入されて当該ゴム手袋２を保持するための本体部３を備えている。
【００１４】
前記本体部３は、図の例の場合、上端部４から高さ方向の中間部５にかけて徐々に断面積が小さくなり、前記中間部５から底部６にかけて徐々に断面積が大きくなる略円筒状に形成されている。
底部６には、前記底部６よりも外径の大きい平板状の台板７が取り付けられている。これにより底部６が閉じられて、本体部３内の前記底部６の近傍が、徐放性機能剤８の収容部９とされている。収容部９内、すなわち本体部３内に露出した台板７上に、徐放性機能剤８が載置される。
【００１５】
本体部３の上端部４は開放されて、徐放性機能剤８を放散させるための放散口１０とされている。また本体部３の、前記収容部９を除く側面には、前記本体部３の内外を繋ぐ複数の通孔が設けられて、やはり徐放性機能剤８を放散させるための放散口１１とされている。
台板７は、その面方向を、本体部３の軸方向と略直交させた状態で、前記底部６に取り付けられている。
【００１６】
スタンド１を、前記台板７を下にして、例えば台所の流し台等の上に設置すると、本体部３が、軸方向を略鉛直方向に向けた状態とされる。そのため前記本体部３にゴム手袋２を被せると、図に示すように前記ゴム手袋２は、袖口の開口１２を下にした状態で、前記本体部３によって保持される。
収容部９に収容した徐放性機能剤８は気化し、本体部３内を通って上端部４まで上昇して、前記放散口１０を通して本体部３外に放散される。また途中に設けた放散口１１からも本体部３外に放散される。そして本体部３に被されて保持されたゴム手袋２の内部に、消臭、抗菌、防カビ等の作用を及ぼす。
【００１７】
本体部３と台板７とは、着脱可能に形成してもよい。着脱可能に形成した場合、収容部９に徐放性機能剤８を収容する作業や、効果に応じて徐放性機能剤８を入れ替える作業等が容易になるという利点がある。ただしスタンド１の構造を簡略化することを考慮すると、本体部３と台板７とは一体に形成してもよい。
また本体部３を、例えば中間部５において上下の部品に分割するとともに、着脱可能に形成してもよい。この場合も、本体部３と台板７とを着脱可能に形成した場合と同様の効果が得られる。
【００１８】
本体部３は、図に示すようにゴム手袋２を被せることができ、しかも被せた際に、前記ゴム手袋２を、略通常使用時の形状を維持するように適度に拡げることができるように、特に上端部４の断面積を設定するのが好ましい。
具体的には、上端部４の断面積を２０ｃｍ２以上に設定するのが好ましい。これにより、本体部３に被せたゴム手袋２の、前記上端部４に対応する掌部１３を、略通常使用時の形状を維持するように広げることができるとともに、前記掌部１３の、図において上方に連なる指部１４が折れ曲がるのを防止できる。さらに掌部１３、図において下方に連なって開口１２に至る袖部１５をも、略通常使用時の形状を維持するように広げることができる。
【００１９】
そのため収容部９から気化して、放散口１０、１１を通して放散された徐放性機能剤８を、ゴム手袋２の内部の隅々まで行き渡らせて、消臭、抗菌、防カビ等の作用を及ぼすことができる。
なお上端部４の断面積の上限は特に限定されない。ただしゴム手袋２を、本体部３に対してできるだけスムースに着脱できるようにすることを考慮すると、前記上端部４の断面積は３０ｃｍ２以下に設定するのが好ましい。
【００２０】
中間部５、および底部６の断面積は任意に設定できるが、中間部５の断面積は１ｃｍ２以上、特に５ｃｍ２以上に設定するのが好ましい。これにより、収容部９から気化して上昇する徐放性機能剤８をできるだけスムースに通過させることが可能となる上、前記中間部５の強度を十分に確保することもできる。
また前記中間部５の断面積は１５ｃｍ２以下に設定するのが好ましい。これにより、ゴム手袋２の、掌部１３から開口１２に続く袖部１５と、本体部３との間に適度な隙間を設けて、気化した徐放性機能剤８を、放散口１１を通してよりスムースに、ゴム手袋２内に行き渡らせることができる。
【００２１】
底部６の断面積は、２０ｃｍ２以上に設定するのが好ましい。これにより、本体部３に被せたゴム手袋２の袖部１５を、略通常使用時の形状を維持するように広げつつ、袖口の開口１２との隙間をできるだけ小さくして、気化した徐放性機能剤８が外部へ漏出するのをできるだけ抑制することができる。
なお底部６の断面積の上限は特に限定されない。ただしゴム手袋２を、本体部３に対してできるだけスムースに着脱できるようにすることを考慮すると、前記底部６の断面積は３０ｃｍ２以下に設定するのが好ましい。
【００２２】
スタンド１は、ゴム手袋２の処理に使用しないときに、例えば台所等の装飾としても利用できるように、任意のデザインを施すのが好ましい。
例えば図の例では、前記のように本体部３を、上端部４から中間部５にかけて徐々に断面積が小さくなり、前記中間部５から底部６にかけて徐々に断面積が大きくなる縦型略円筒状に形成するとともに、前記本体部３の側面に、円形で、しかも開口径の異なる複数の放散口１１をランダムに設けている。
【００２３】
この他、例えば前記放散口１１を、三角形、四角形、五角形以上の多角形等の幾何学形状に形成したり、動物や植物、星、その他キャラクターといった任意の形状に形成したりしてもよい。
また本体部３を、前記円筒状以外の、例えば断面形状が三角形、四角形、五角形以上の多角形等の幾何学形状である筒状に形成したり、動物や植物、星、その他キャラクターといった任意の断面形状の筒状に形成したりしてもよい。
【００２４】
先に説明したように、本体部３の底部６の近傍の、側面に前記放散口１１を設けていない領域が、徐放性機能剤８の収容部９とされる。
前記収容部９の、底部６からの高さは任意に設定できる。
ただし本体部３の、上端部４から底部６までの高さ、および前記本体部３に被せるゴム手袋２の長さ等に応じて、前記収容部９の高さを設定するのが好ましい。
【００２５】
すなわち前記底部６から、図に示すように本体部３に被せるゴム手袋２の袖口の開口１２よりも上の任意の位置までの領域を収容部９とする、つまり開口１２より下には放散口１１を設けないようにするのが好ましい。
これにより、気化した徐放性機能剤８が外部へ漏出するのをできるだけ抑制することができる。
【００２６】
前記収容部９の高さの具体的な数値は特に限定されないが、１ｃｍ以上であるのが好ましく１０ｃｍ以下であるのが好ましい。収容部９の高さが1ｃｍ未満では、前記気化した徐放性機能剤８が外部へ漏出するのを抑制する効果が十分に得られないおそれがある。また１０ｃｍを超える場合には収容部９、ひいては本体部３が過大に大きくなりすぎてスタンド１の材料コストが嵩んだり、スタンド１をおいておく場所が限られたりするおそれが生じる。
【００２７】
収容部９に収容する徐放性機能剤８としては、通常は固体または液体で、大気中で徐々に放散してゴム手袋２等に消臭、抗菌、防カビ等の作用を及ぼすことができる種々のものが使用可能である。
前記徐放性機能剤８としては、これに限定されないが、例えば、常温で揮発性を有する抗菌剤、防カビ剤、消臭剤等を多孔質セルロース等の担体中に封入したガス徐放性製剤等が挙げられる。前記ガス徐放性製剤の具体例としては、徐放性抗菌・防カビ剤であるアリルイソチオシアネート包埋多孔質セルロースビーズ〔レンゴー(株)製のワサエース（登録商標）〕等が挙げられる。
【００２８】
本発明の構成は、以上で説明した図の例のものには限定されない。例えば同じ縦型筒状の本体部を有するスタンドでもブーツ用の場合は、被せるブーツの寸法、形状等に応じて、前記本体部の各部の断面積や高さ、あるいは本体部の形状等を適宜変更するのが好ましい。
またブーツ以外の靴やゴム手袋以外の手袋、あるいは帽子等のためのスタンドの場合は、処理対象の形状に応じて、本体部を縦型筒状以外の任意の形状に形成することができる。例えば球形、直方体形、円錐形、多角錐形といった幾何学形状や、動物や植物、星、その他キャラクターといった任意の形状に形成してもよい。
【００２９】
その他、本発明の用紙を逸脱しない範囲で、適宜の設計変更を施すことができる。
【実施例】
【００３０】
以下、実施例、比較例に基づいて本発明をさらに具体的に説明するが、本発明はこれらに限定されるものではない。
〈実施例１〉
図１に示すように、上端部４から高さ方向の中間部５にかけて徐々に断面積が小さくなり、前記中間部５から底部６にかけて徐々に断面積が大きくなる縦型略円筒状の本体部３と台板７とを備え、かつ前記上端部４の断面積が２５ｃｍ２、中間部５の断面積が１０ｃｍ２、底部６の断面積が２５ｃｍ２であるスタンド１を作製した。
【００３１】
前記本体部３の上端部４は開口させて放散口１０とした。また本体部３の側面には、図に示すように円形でかつ開口径の異なる複数の放散口１１をランダムに設けた。
本体部３内の前記底部６の近傍を、徐放性機能剤８の収容部９とした。収容部９内、すなわち本体部３内に露出した台板７上に、徐放性機能剤８を載置することとした。
本体部３に、市販の炊事用のゴム手袋〔(株)ダンロップホームプロダクツ製の天然ゴム手袋ＳＰ−７〕を被せた際に、図１に示すように、前記ゴム手袋２の開口１２より下には放散口１１が露出しないように、前記本体部３の高さ、および収容部９の高さを設定した。中間部５の位置は、本体部３の高さのちょうど半分の位置とした。
【００３２】
前記収容部９に、前出のレンゴー(株)製のワサエースを一定量収容した。
〈実施例２〉
本体部を、上端部の断面積が１０ｃｍ２、中間部の断面積が１０ｃｍ２、底部の断面積が２５ｃｍ２で、上端部から底部にかけて一方的に断面積が大きくなる縦型略円筒状に形成したこと以外は実施例１と同様にしてスタンドを作製した。
【００３３】
前記本体部の上端部は開口させて放散口とした。また本体部の側面には、円形でかつ開口径の異なる複数の放散口をランダムに設けた。上端部および側面の放散口の開口面積の合計は実施例１と同じに設定した。
本体部内の前記底部の近傍を、徐放性機能剤の収容部とした。収容部内、すなわち本体部内に露出した台板上に、徐放性機能剤を載置することとした。
【００３４】
本体部の高さ、および収容部の高さも実施例１と同じに設定した。中間部の位置は、本体部の高さのちょうど半分の位置とした。
前記収容部に、ワサエースを実施例１と同量収容した。
〈実施例３〉
本体部を、上端部、中間部、および底部の断面積がいずれも１５ｃｍ２で、上端部から低部まで断面積が等しい縦型円筒状に形成したこと以外は実施例１と同様にしてスタンドを作製した。
【００３５】
前記本体部の上端部は開口させて放散口とした。また本体部の側面には、円形でかつ開口径の異なる複数の放散口をランダムに設けた。上端部および側面の放散口の開口面積の合計は実施例１と同じに設定した。
本体部内の前記底部の近傍を、徐放性機能剤の収容部とした。収容部内、すなわち本体部内に露出した台板上に、徐放性機能剤を載置することとした。
【００３６】
本体部の高さ、および収容部の高さも実施例１と同じに設定した。中間部の位置は、本体部の高さのちょうど半分の位置とした。
前記収容部に、ワサエースを実施例１と同量収容した。
〈実施例４〉
徐放性機能剤の収容部を、本体部の中間部に設けたこと以外は実施例３と同様にしてスタンドを作製した。
【００３７】
前記収容部に、ワサエースを実施例１と同量収容した。
〈比較例１〉
実施例４のスタンドの収容部にワサエースを収容しないものを比較例１とした。
〈比較例２〉
前記ワサエースを直接ゴム手袋内に投入して、スタンドを使用せずに机上に静置したものを比較例２とした。
【００３８】
〈比較例３〉
スタンドおよびワサエースを使用せずに、ゴム手袋を通常の洗濯用ハンガーに吊り下げたものを比較例３とした。
〈カビの繁殖度評価〉
日本工業規格ＪＩＳ  Ｚ２９１１：２０１０「かび抵抗性試験方法」所載の試験方法に則って、ゴム手袋におけるカビの発生度合いを評価した。
【００３９】
すなわち市販のゴム手袋〔前出の(株)ダンロップホームプロダクツ製の天然ゴム手袋ＳＰ−７〕の内部にAspergilus niger、Chaetomium globosum、およびPenicillium citrinumの３種のカビの混合物を拭きつけた後、実施例１〜４、比較例１のスタンドについては本体部に被せた状態で、温度２５℃、相対湿度７０％の環境下で静置した。
また比較例２、３については、前記の状態として、同様に温度２５℃、相対湿度７０％の環境下で静置した。
【００４０】
そして３日後、および１ヵ月後に、それぞれのゴム手袋の親指、中指、小指、掌、甲、および袖部の５箇所から、それぞれ３ｃｍ×３ｃｍ角のシートサンプルを切り出し、寒天培地上にセットして２８℃で７日間静置した後、繁殖したカビの状態を観察して、下記の４段階で評価した。
◎：カビの繁殖は全く確認されなかった。
【００４１】
○：ごく僅かにカビが繁殖しているのが確認された。
×：カビが繁殖しているのが確認された。
××：多量のカビが繁殖しているのが確認された。
以上の結果を表１に示す。
【００４２】
【表１】
2012152351.tif 000003
【００４３】
表１より、ゴム手袋を単に洗濯用ハンガーに吊り下げただけの比較例３では、防カビ効果が全く得られないことが判った。
また実施例４と同じスタンドを使用したものの、徐放性機能剤を使用しなかった比較例１は、比較例３ほどではないものの、やはり防カビ効果が得られないことが判った。
さらにスタンドを使用せず、ゴム手袋内に直接に徐放性機能剤を投入した比較例２は、投入された徐放性機能剤が近くにあった部分では防カビ効果が得られるものの、それ以外の部分では防カビ効果が得られないことが判った。
【００４４】
これに対し、スタンドと徐放性機能剤とを使用した実施例１〜４では、良好な防カビ効果が得られることが判った。
また各実施例を比較すると、上端部の断面積が２０ｃｍ２未満で、かつ本体部が図１の形状を有しない実施例２〜４は、いずれも本体部に被せた状態でゴム手袋の指部が折れ曲がりやすいため、前記指部に対する防カビ性が、実用上、差し支えのない範囲ではあるものの、僅かに低くなる傾向があることが判った。
【００４５】
また、高さ方向の中間位置に徐放性機能剤の収容部を設けた実施例４は、さらに掌部以下の領域に対する防カビ性も、実用上、差し支えのない範囲ではあるものの、僅かに低くなる傾向があることが判った。
これに対し、上端部の断面積が２０ｃｍ２以上で、本体部が図１の形状を有する上、底部近傍に徐放性機能剤の収容部を設けた実施例１は、ゴム手袋の全体に対して高い防カビ性を発揮しうることが判った。
【符号の説明】
【００４６】
１     スタンド
２     ゴム手袋
３     本体部
４     上端部
５     中間部
６     底部
７     台板
８     徐放性機能剤
９     収容部
１０   放散口
１１   放散口
１２   開口
１３   掌部
１４   指部
１５   袖部
【図１】
2012152351.tif 000004